(57)【特許請求の範囲】
【請求項１】
ホッチキス本体に着脱自在に装着されるカートリッジ本体と、このカートリッジ本体の後部側部に設けられ且つ前後方向に延びたアームとを備え、
前記ホッチキス本体には、内部にカートリッジ室が形成されたマガジンが設けられ、
このマガジンの後部には前記カートリッジ本体を前記カートリッジ室に挿入するための開口が形成されているとともにマガジン側係止部が設けられ、
前記アームの先端部には、前記マガジン側係止部に係止する係止部が設けられ、
前記アームの後部には、押圧されることで前記係止部の前記マガジン側係止部への係止を解除する押圧部が設けられ、
この押圧部への押圧により前記係止部の係止を解除して前記カートリッジ本体を前記ホッチキス本体から後方へ引き出して取り外すようになっている電動ホッチキス用カートリッジであって、
前記カートリッジ本体の後部に所定距離だけ前後方向に移動可能なノブを取り付け、
このノブを後方へ移動させることによって、前記アームの前記押圧部を押圧して前記係止部の係止の解除を行うとともに、前記カートリッジ本体を前記ホッチキス本体から前記ノブの移動とともに後方へ引き出すことを特徴とする電動ホッチキス用カートリッジ。
【請求項２】
前記ノブは、後方へ移動した際に前記押圧部を押圧する突出部と、前記カートリッジ本体に設けた係止部に係合して前記カートリッジ本体を後方へ引き出す係合部とを有していることを特徴とする請求項１に記載の電動ホッチキス用カートリッジ。
【請求項３】
前記カートリッジ本体を前記ホッチキス本体に装着して前記ノブを前方へ移動させると、前記アームの前記係止部の前記マガジン側係止部への係止がロックされることを特徴とする請求項１または請求項２に記載の電動ホッチキス用カートリッジ。
【発明の詳細な説明】
【０００１】
【発明の属する技術分野】
この発明は、ホッチキス本体に着脱自在に装着されるカートリッジに関する。
【０００２】
【従来の技術】
従来から、電動ホッチキス本体に着脱自在に装着されるカートリッジが知られている。かかるカートリッジにはシートステープルが数十枚積層収納できるようになっている。
【０００３】
ところで、電動ホッチキス本体の小型軽量化を図るとともにカートリッジを小型化したものが提案されている。
【０００４】
かかるカートリッジは、１０枚程度のシートステープルを積層収納するカートリッジ本体と、このカートリッジ本体の後部の両側部に前後方向に延びた一対のアームとを有し、このアームの先端部に突起が設けられ、後部に押圧部が設けられている。他方、電動ホッチキス本体の側方には係止突起が設けられており、カートリッジ本体を後方から挿入することにより電動ホッチキス本体に装着することができ、カートリッジ本体が装着されると、アームの突起が電動ホッチキス本体の係止突起に係合してカートリッジ本体が電動ホッチキス本体に固定されるようになっている。
【０００５】
カートリッジの取り外しは、アームの押圧部を押圧することにより行われる。すなわち、その押圧部が押圧されるとアームの突起が係止突起から外れる。そして、カートリッジ本体を後方へ引き出すことにより、カートリッジが電動ホッチキス本体から取り外される。
【０００６】
【発明が解決しようとする課題】
このようにカートリッジの取り外しは、アームの押圧部を押圧した後、カートリッジ本体を後方へ引き出すという２アクションの操作が必要であるという問題があった。
【０００７】
この発明は上記事情に鑑みてなされたものであり、その目的は、１アクションの操作でカートリッジを取り外すことのできる電動ホッチキス用カートリッジを提供することにある。
【０００８】
【課題を解決するための手段】
上記目的を達成するため、請求項１の発明は、
ホッチキス本体に着脱自在に装着されるカートリッジ本体と、このカートリッジ本体の後部側部に設けられ且つ前後方向に延びたアームとを備え、
前記ホッチキス本体には、内部にカートリッジ室が形成されたマガジンが設けられ、
このマガジンの後部には前記カートリッジ本体を前記カートリッジ室に挿入するための開口が形成されているとともにマガジン側係止部が設けられ、
前記アームの先端部には、前記マガジン側係止部に係止する係止部が設けられ、
前記アームの後部には、押圧されることで前記係止部の前記マガジン側係止部への係止を解除する押圧部が設けられ、
この押圧部への押圧により前記係止部の係止を解除して前記カートリッジ本体を前記ホッチキス本体から後方へ引き出して取り外すようになっている電動ホッチキス用カートリッジであって、
前記カートリッジ本体の後部に所定距離だけ前後方向に移動可能なノブを取り付け、
このノブを後方へ移動させることによって、前記アームの前記押圧部を押圧して前記係止部の係止の解除を行うとともに、前記カートリッジ本体を前記ホッチキス本体から前記ノブの移動とともに後方へ引き出すことを特徴とする。
【０００９】
請求項２の発明は、前記ノブは、後方へ移動した際に前記押圧部を押圧する突出部と、前記カートリッジ本体に設けた係止部に係合して前記カートリッジ本体を後方へ引き出す係合部とを有していることを特徴とする。
【００１０】
請求項３の発明は、前記カートリッジ本体を前記ホッチキス本体に装着して前記ノブを前方へ移動させると、前記アームの前記係止部の前記マガジン側係止部への係止がロックされることを特徴とする。
【００１１】
【発明の実施の形態】
以下、この発明に係わる電動ホッチキス用カートリッジの実施の形態を図面に基づいて説明する。
［第１実施形態］
図１および図２に示す電動ホッチキス１は、ホッチキス本体２と、ホッチキス本体２に着脱可能に装着されるカートリッジ１０とを有している。
【００１２】
ホッチキス本体２には、シートＴを載置する載置部３と、軸４回りに回動可能に設けられたクリンチャテーブル５と、載置部３に載置されたシートＴに向けてステープルを打出通路Ｈから打ち出していく打出し機構(図示せず)等とが設けられている。クリンチャテーブル５は軸４回りに回動して載置部３に載置されたシート束Ｔを挟持するようになっており、このクリンチャテーブル５には打ち出されたステープルの脚部をクリンチするクリンチャ(図示せず)等が設けられている。
【００１３】
また、ホッチキス本体２には、カートリッジ室６を形成したマガジン７と、カートリッジ１０内に積層されたシートステープル(図示せず)を打出通路Ｈへ送り出す送出機構(図示せず)と、各機構を駆動する駆動機構(図示せず)等とが設けられている。
【００１４】
マガジン７の後部には開口７Ａが形成され、その後部の両側部には側方に突出した突起（マガジン側係止部）８,８が形成されている。その開口７Ａから挿入してカートリッジ１０をカートリッジ室６に装着したり、装着されたカートリッジ１０をその開口７Ａから引き出したりするようになっている。
【００１５】
各突起８には、図３に示すように、左方（前方）へいくにしたがって側方へ延びていく傾斜面８aと、左右方向（前後方向）と直交する係止面８bとが形成されている。
【００１６】
カートリッジ１０は、図４ないし図７に示すように、シートステープルを積層収納する収納室１１を形成したカートリッジ本体１２と、このカートリッジ本体１２の底壁部１３から後方へ延びた後部壁１４と、この後部壁１４の両側方に支持壁１５,１５を介して設けられたアーム１６,１６とを備えている。
【００１７】
後部壁１４には凹部１４Ａが形成され、後部壁１４の前側の下面には下方に突出するとともに左右方向に延びた突条部（係止部）１７が形成されている。
【００１８】
各アーム１６は前後方向に延びており、その先端部には内方に突出した係止突起（係止部）１８が設けられている。この係止突起１８は、マガジン７の突起８の係止面８bに係合するようになっている。また、各アーム１６の後部には側方に突出した突出部（押圧部）１９が設けられている。突出部１９には、後方へいくにしたがって側方へ延びる傾斜面１９Ａが形成されている。
【００１９】
また、アーム１６,１６は、突出部１９,１９が内側へ押圧されると支持壁１５,１５の弾性力により図４の鎖線に示すように先端部が互いに開くように傾動するようになっており、この傾動により係止突起１８が突起８の係止面８bから外れるようになっている。その押圧が解除されると、アーム１６,１６は元の実線で示す位置へ弾性復帰する。
【００２０】
カートリッジ１０の後部壁１４には、図１および図２に示すように所定距離前後方向に移動可能なノブ４０が取り付けられている。
【００２１】
ノブ４０は、図８および図９に示すように、平面視がカマボコ形状であって前端面（図９において左端部）が開口された中空状のノブ本体４１を有している。このノブ本体４１の上面には凹部４１Ａが形成され、ノブ本体４１の底部４２には左方（前方）へ延びた平板状の平板部４３が形成されている。この平板部４３には長方形の開口４４が形成され、この開口４４によって形成される平板部４３の前端部４３Ａが突条部１７に係合する係合部として機能する。
【００２２】
ノブ本体４１の両側壁部４５,４５の内側には、内方へ突出した突起部４６,４６が形成され、また、各側壁部４５,４５にはアーム１６の突出部１９の後端部が挿入される凹部４９が形成されている。ノブ本体４１の後壁部４７には前方に延びた一対のガイド壁４８,４８が形成されている。
【００２３】
図２に示すように、ノブ４０の凹部４９にアーム１６の突出部１９の後端部が挿入されるとアーム１６の傾動が阻止され、アーム１６の係止突起１８がマガジン７の係止面８bから外れなくなり、カートリッジ１０はホッチキス本体２にロックされることになる。
【００２４】
ノブ４０内には、図１０に示すように、カートリッジ１０の後部壁１４が挿入されているとともに、ノブ４０のガイド壁４８,４８がカートリッジ１０の凹部１４Ａ内に挿入されている。また、カートリッジ１０のアーム１６の外側面にはノブ４０の突起部４６が当接し、ノブ４０の開口４４内には図２に示すようにカートリッジ１０の突条部１７が挿入されている。
【００２５】
ノブ４０は、ガイド壁４８によって前後方向に移動するようにガイドされるとともに、開口４４と突条部１７との間に形成される隙間だけカートリッジ１０に対して前後方向に移動可能となっている。
【００２６】
次に、上記のように構成されるカートリッジ１０の作用について説明する。
【００２７】
カートリッジ１０が図１および図２に示すようにホッチキス本体２に装着され、ノブ４０の凹部４９にアーム１６の突出部１９の後端部が挿入されてカートリッジ１０はホッチキス本体２にロックされているとき、このカートリッジ１０の取り外し方について説明する。
【００２８】
先ず、ノブ４０の上面の凹部４１Ａに指を掛けてノブ４０を後方へ引き出していくと、ノブ４０はカートリッジ１０に対して後方へ移動していき、図１１に示すように、ノブ４０の突起部４６,４６がカートリッジ１０のアーム１６,１６の傾斜面１９Ａ,１９Ａに当接する。
【００２９】
そして、さらにノブ４０を後方へ引き出していくと、この後方への引き出しとともにノブ４０の突起部４６,４６がアーム１６,１６の傾斜面１９Ａ,１９Ａを内側へ押圧していくので、アーム１６,１６は図１２に示すように傾動する。この傾動によりアーム１６,１６の係止突起１８,１８がマガジン７の係止面８b,８bから外れ、カートリッジ１０のロックは解除される。他方、ノブ４０の平板部４３の前端部４３Ａがカートリッジ１０の突条部１７に係合する。
【００３０】
そして、さらにノブ４０を後方へ引き出していくと、図１３に示すように、この引き出しとともに平板部４３の前端部４３Ａがカートリッジ１０をホッチキス本体２から後方へ引き出していくことになり、カートリッジ１０がホッチキス本体２から取り外される。
【００３１】
このように、ノブ４０を後方へ引き出す１つの操作だけで、すなわち１アクションの操作でカートリッジ１０のロックの解除とカートリッジ１０の取り外しを行うことができる。
【００３２】
カートリッジ１０をホッチキス本体２に装着するには、カートリッジ１０の先端部をマガジン７の開口７Ａに入れてノブ４０を前方に押していけば、カートリッジ本体１２の後端１２Ａにノブ本体４１の前端４１Ｂが当接することにより、カートリッジ１０はノブ４０に押されてカートリッジ室６に挿入されていく。そして、図１４に示すように、カートリッジ１０がカートリッジ室６に挿入されると、カートリッジ１０のアーム１６の係止突起１８がマガジン７の傾斜面８aに当接する。
【００３３】
この状態で、さらにノブ４０を押していき、カートリッジ１０がカートリッジ室６に完全に挿入されると、図２に示すようにアーム１６の係止突起１８がマガジン７の傾斜面８aを乗り越えて、その係止突起１８がマガジンの突起８の係止面８bに係合し、カートリッジ１０がホッチキス本体２に装着される。
【００３４】
他方、アーム１６の突出部１９の後端部がノブ４０の凹部４９に挿入されて、カートリッジ１０はホッチキス本体２にロックされる。
【００３５】
このように、ノブ４０を押していけばカートリッジ１０をホッチキス本体２に装着することができ、しかも、そのカートリッジ１０はホッチキス本体２にロックされる。
［第２実施形態］
図１５は第２実施形態のカートリッジ１００を示す。図１５において、１１６,１１６はアームであり、このアーム１１６,１１６の先端部には側方に突出した係止突起（係止部）１１８,１１８が設けられている。この係止突起１１８,１１８は、マガジン７に設けた係止孔１０８,１０８に係合している。また、各アーム１１６の後部には内方に突出した突出部（押圧部）１１９が設けられている。各突出部１１９には、後方へいくにしたがって内方へ延びる傾斜面１１９Ａが形成されている。
【００３６】
一方、ノブ１４０には、アーム１１６,１１６の後部が入る凹部１４１,１４１が形成され、この凹部１４１,１４１の側壁に上記の突出部１１９,１１９を押圧する突起部１４６,１４６が設けられており、この突起部１４６,１４６がアーム１１６,１１６の突出部１１９,１１９を押圧するとアーム１１６,１１６が図４に示す方向と逆方向に傾動して、係止突起１１８,１１８が係止孔１０８,１０８から外れるようになっている。
【００３７】
すなわち、ノブ１４０を後方へ引き出すだけで、アーム１１６,１１６の係止突起１１８,１１８がマガジン７の係止孔１０８,１０８から外れ、カートリッジ１００のロックは解除されて、カートリッジ１００の取り外しを行うことができる。
【００３８】
【発明の効果】
以上説明したように、この発明によれば、１アクションの操作でカートリッジを取り外すことができる。
【図面の簡単な説明】
【図１】この発明に係わる電動ホッチキスの外観を示した斜視図である。
【図２】図１に示す電動ホッチキスの平断面図である。
【図３】カートリッジの一部を示した部分拡大図である。
【図４】カートリッジを示した平面図である。
【図５】図４に示すカートリッジの側面図である。
【図６】図４に示すカートリッジの底面を示した底面図である。
【図７】図４に示すカートリッジの背面図である。
【図８】（Ａ）ノブを示した平面図である。
（Ｂ）ノブを示した側面図である。
（Ｃ）ノブを示した横断面図である。
【図９】（Ａ）ノブを示した底面図である。
（Ｂ）ノブを示した平断面図である。
【図１０】カートリッジにノブを取り付けた状態を示した説明図である。
【図１１】ホッチキス本体に装着されたカートリッジに取り付けられたノブを後方へ少し移動させた状態を示した説明図である。
【図１２】カートリッジのロックが解除された状態を示した説明図である。
【図１３】ノブとともにカートリッジがホッチキス本体から引き出されていく状態を示した説明図である。
【図１４】カートリッジを装着するときの状態を示した説明図である。
【図１５】第２実施形態を示した説明図である。
【符号の説明】
２   ホッチキス本体
８   突起（マガジン側係止部）
１２   カートリッジ本体
１６   アーム
１８   係止突起（係止部）
１９   突出部（押圧部）
４０   ノブ
【図１】
0004479078.tif 000002
【図２】
0004479078.tif 000003
【図３】
0004479078.tif 000004
【図４】
0004479078.tif 000005
【図５】
0004479078.tif 000006
【図６】
0004479078.tif 000007
【図７】
0004479078.tif 000008
【図８】
0004479078.tif 000009
【図９】
0004479078.tif 000010
【図１０】
0004479078.tif 000011
【図１１】
0004479078.tif 000012
【図１２】
0004479078.tif 000013
【図１３】
0004479078.tif 000014
【図１４】
0004479078.tif 000015
【図１５】
0004479078.tif 000016